(57)【要約】【課題】内張りを取り替えることができる旅行かばんを提供する。【解決手段】内張りを取り替えることができる旅行かばんは、バックシェル、フロントシェル、線ファスナー、内張りおよび遮蔽布を備える。線ファスナーは、バックシェルの周縁部に装着された第一ジッパーテープ、第一ジッパーテープと噛み合う第二ジッパーテープ、先端部および末端部を有する。内張りは、バックシェルの内側に配置され、その周縁部が線ファスナーの第二ジッパーテープに連結され、かつ第一連結ユニットを有する。遮蔽布は、一側がフロントシェルに装着され、かつ分離できるように第一連結ユニットと結合する第二連結ユニットを有するため、線ファスナーの末端部を遮蔽できる。従って、線ファスナーによって内張りを簡単に取り替えることができる。【選択図】図２
0003173563.tif 000002
【実用新案登録請求の範囲】
【請求項１】
バックシェルと、
フロントシェルと、
前記バックシェルの周縁部に装着された第一ジッパーテープ、前記第一ジッパーテープと噛み合う第二ジッパーテープ、先端部および末端部を有する線ファスナーと、
前記バックシェルの内側に配置され、その周縁部が前記線ファスナーの前記第二ジッパーテープに連結され、かつ第一連結ユニットを有する内張りと、
一側が前記フロントシェルに装着され、かつ分離できるように前記第一連結ユニットと結合する第二連結ユニットを有することによって前記線ファスナーの前記末端部を遮蔽する遮蔽布と、
を備えることを特徴とする内張りを取り替えることができる旅行かばん。
【請求項２】
前記線ファスナーは、環状を構成し、前記末端部は前記先端部に被さることを特徴とする請求項１に記載の内張りを取り替えることができる旅行かばん。
【請求項３】
前記線ファスナーは、前記先端部と前記末端部とが重ならないことを特徴とする請求項１に記載の内張りを取り替えることができる旅行かばん。
【請求項４】
前記線ファスナーの前記先端部は、前記遮蔽布によって遮蔽されることを特徴とする請求項３に記載の内張りを取り替えることができる旅行かばん。
【請求項５】
前記第一連結ユニットと前記第二連結ユニットとは、結合して面ファスナーを構成することを特徴とする請求項１に記載の内張りを取り替えることができる旅行かばん。
【請求項６】
前記内張りは、底層および最上層を有し、前記底層および前記最上層は周縁部が前記線ファスナーの前記第二ジッパーテープに連結され、前記最上層は開口部と、前記開口部の周りに装着された線ファスナーを有することを特徴とする請求項１に記載の内張りを取り替えることができる旅行かばん。
【考案の詳細な説明】
【技術分野】
【０００１】
本考案は、旅行かばんに関し、詳しくは内張りを取り替えることができる旅行かばんに関するものである。
【背景技術】
【０００２】
一般の旅行かばんは、二つのシェルの内側に配置された布地の内張りによってシェル内側の不平坦な形および伸縮ハンドルを遮蔽する。
【０００３】
従来の旅行かばんの内張りはシェル内に縫製される。内張りが汚れたか破損した時、または色やパターンの異なる内張りに取り替えようとする時に思うように内張りを簡単に取り替えることができないため、使用に不便である。従って、従来の旅行かばんには改善の余地がある。
【考案の概要】
【考案が解決しようとする課題】
【０００４】
本考案は、内張りを簡単に取り替えることが可能な旅行かばんを提供することを主な目的とする。
【０００５】
本考案は、内部を平坦にすることによって荷物が引っかかることを防止し、かつ内張りを取り替えることが可能な旅行かばんを提供することをもう一つの目的とする。
【０００６】
本考案は、線ファスナーで内張りの着脱を行うことによって内張りを取替え、かつ荷物が線ファスナーに引っかかるような事態を防止することが可能な旅行かばんを提供することをもう一つの目的とする。
【課題を解決するための手段】
【０００７】
上述の目的を達成するために、本考案による内張りを取り替えることができる旅行かばんは、バックシェル、フロントシェル、線ファスナー、内張りおよび遮蔽布を備える。線ファスナーは先端部、末端部、第一ジッパーテープおよび第二ジッパーテープを有し、第一ジッパーテープはバックシェルの周縁部に装着され、第二ジッパーテープは第一ジッパーテープと噛み合う。内張りはバックシェルの内側に配置され、周縁部によって線ファスナーの第二ジッパーテープに連結され、かつ第一連結ユニットを有する。遮蔽布は一側がフロントシェルに装着され、かつ分離できるように第一連結ユニットと結合する第二連結ユニットを有する。上述したとおり、本考案は、遮蔽布によって線ファスナーの末端部を遮蔽し、荷物が線ファスナーに引っかかるような事態を防止し、かつ線ファスナーによって内張りの取り替えを簡単に達成することができる。
【図面の簡単な説明】
【０００８】
【図１】本考案の一実施形態による内張りを取り替えることができる旅行かばんを示す斜視図である。
【図２】本考案の一実施形態による内張りを取り替えることができる旅行かばんを示す斜視図である。
【図３】本考案の一実施形態による内張りを取り替えることができる旅行かばんを示す斜視図である。
【図４】図２の一部分を示す拡大図である。
【図５】図３の一部分を示す拡大図である。
【考案を実施するための形態】
【０００９】
以下、本考案による内張りを取り替えることができる旅行かばんを図面に基づいて説明する。
【実施例】
【００１０】
図１から図３に示すように、本考案の一実施形態による内張りを取り替えることができる旅行かばん１０は、バックシェル２０、フロントシェル３０、第一内張り４０、第二内張り５０、第一線ファスナー６０、第二線ファスナー７０、第一遮蔽布８０および遮蔽布９０を備える。
【００１１】
第一内張り４０は、第一線ファスナー６０によってバックシェル２０に装着され、かつバックシェル２０の内側に広がる。第二内張り５０は、第二線ファスナー７０によってフロントシェル３０に装着され、かつフロントシェル３０の内側に広がる。
【００１２】
第一線ファスナー６０は、第一ジッパーテープ６１および第二ジッパーテープ６２を有する。第一ジッパーテープ６１はバックシェル２０の周縁部２２に縫製され、第二ジッパーテープ６２は第一内張り４０の周縁部に縫製される。第二線ファスナー７０は第一ジッパーテープ７１および第二ジッパーテープ７２を有する。第一ジッパーテープ７１はフロントシェル３０の周縁部３２に縫製され、第二ジッパーテープ７２は第二内張り５０の周縁部に縫製される。第一線ファスナー６０は第一ジッパーテープ６１と第二ジッパーテープ６２とが分離できるように噛み合うことによって環状を構成する。第二線ファスナー７０は第一ジッパーテープ７１と第二ジッパーテープ７２とが分離できるように噛み合うことによって環状を構成する。
【００１３】
図４および図５に示すように、第一線ファスナー６０は先端部６４および末端部６６を有する。第一線ファスナー６０を結合させる際、先端部６４および末端部６６はそれぞれ最初の時および最後の時に結合する。本実施形態において、第一線ファスナー６０の末端部６６は先端部６４の上方に被さるが、これに限らない。第一線ファスナー６０の先端部６４と末端部６６とは重ならなくてもよい。同様に第二線ファスナー７０は、重なるまたは重ならない先端部および末端部を有する。
【００１４】
第一内張り４０は、第一連結ユニット４２を有する。第一連結ユニット４２は第一線ファスナー６０の第二ジッパーテープ６２に隣接するように装着され、かつバックシェル２０とフロントシェル３０とが相互に連絡する一側に近い。第一遮蔽布８０は一側がフロントシェル３０に装着され、かつフロントシェル３０とバックシェル２０とが相互に連絡する一側に近い。また第一遮蔽布８０は他側に装着された第二連結ユニット８２を有する。第二遮蔽布９０は一側がフロントシェル３０に装着され、かつフロントシェル３０とバックシェル２０とが相互に連絡する一側に近い。また第一遮蔽布９０は他側に装着された第二連結ユニット９２を有する。
本実施形態において、第一連結ユニット４２と第二連結ユニット８２、９２とは結合し、面ファスナーを構成するため、第二連結ユニット８２、９２と第一連結ユニット４２とを結合させれば、第一線ファスナー６０の末端部６６に第一遮蔽布８０を被せ、第一遮蔽布８０に第二遮蔽布９０を被せることができる。また、第二連結ユニット８２、９２と第一連結ユニット４２とを簡単に分離させることができる。また第一連結ユニット４２および第二連結ユニット８２、９２は上述した機能を達成できる別の連結ユニット、例えばボタンまたはドットボタンを採用してもよい。
【００１５】
第一線ファスナー６０の先端部６４と末端部６６とが重なっていない場合、第一線ファスナー６０からなる形は環状に近いが、欠損した環状である。第一遮蔽布８０は第一線ファスナー６０の先端部６４および末端部６６を同時に遮蔽する。このとき旅行かばん１０には第二遮蔽布９０を配置しなくてもよい。
【００１６】
図３に示すように、第二内張り５０はフロントシェル３０内側に広がる底層５２および最上層５４を有する。底層５２および最上層５４の周縁部は第二線ファスナー７０の第二ジッパーテープ７２に連結される。最上層５４は開口部５４１と、開口部５４１の周りに装着された第三線ファスナー５４２を有する。旅行かばん１０を使用する際、底層５２と最上層５４との間に荷物を収め、そののち第三線ファスナー５４２を完全に閉めれば旅行かばん１０をいきなり開けると中の荷物が落ちてしまうような事態を防止することができる。
【００１７】
本考案による旅行かばん１０の第一内張り４０が汚れたか破損した時、または色やパターンの異なる内張りに取り替えようとする時、第一遮蔽布８０および第二遮蔽布９０と第一内張り４０とを分離させ、第一線ファスナー６０を開ければ第一内張り４０の着脱および取り替えを簡単に行うことができる。同様に第二線ファスナー７０を開ければ第二内張り５０の着脱および取り替えを簡単に行うことができる。
【００１８】
第一線ファスナー６０を閉めた後、スライダー６８は末端部６６に位置し、かつ第一遮蔽部８０および第二遮蔽布９０によって遮蔽されるため、旅行かばん１０は内部が平坦である。従ってスライダー６８が内部の荷物に引っかかるか、または内部の荷物（例えば傘、服など）がスライダー６８に引っかかることが原因で第一内張り４０をバックシェル２０から逸脱させてしまうような事態を防止することができる。
【００１９】
以上、本考案は、上記実施形態になんら限定されるものではなく、考案の趣旨を逸脱しない範囲において種々の形態で実施可能である。
【符号の説明】
【００２０】
１０：旅行かばん、
２０：バックシェル、
２２：周縁部、
３０：フロントシェル、
３２：周縁部、
４０：第一内張り、
４２：第一連結ユニット、
５０：第二内張り、
５２：底層、
５４：最上層、
５４１：開口部、
５４２：第三線ファスナー、
６０：第一線ファスナー、
６１：第一ジッパーテープ、
６２：第二ジッパーテープ、
６４：先端部、
６６：末端部、
６８：スライダー、
７０：第二線ファスナー、
７１：第一ジッパーテープ、
７２：第二ジッパーテープ、
８０：第一遮蔽布、
８２：第二連結ユニット、
９０：第二遮蔽布
９２：第二連結ユニット
【図１】
0003173563.tif 000003
【図２】
0003173563.tif 000004
【図３】
0003173563.tif 000005
【図４】
0003173563.tif 000006
【図５】
0003173563.tif 000007